(57)【要約】【課題】静かな遠心送風機を提供する。【解決手段】遠心送風機アセンブリ１１０は、リング状の平面部分４６および傾斜案内面１２０を有する。リング状の平面部分４６は、遠心ファン１２が据え付けられる中央の開口４８を区画形成する。リング状の平面部分４６はスクロールケーシング１４の下側面４４に対して持ち上げられており、上に位置づけられている。傾斜案内面１２０は、リング状の平面部分４６とスクロールケーシング１４の下側面４４との間にある。傾斜案内面１２０は、下側面４４の方へ向けて傾斜し、スクロールケーシング１４のスクロール開始位置３２において、スクロールケーシング１４の隔壁４２へ向かう下流方向へ延びている。【選択図】図３
2015212542.tif 000002
【特許請求の範囲】
【請求項１】
スクロールケーシングの下側面に対して上に位置づけられており、遠心ファンが据え付けられる中央の開口を区画形成するリング状の平面部分、および
前記リング状の平面部分と前記スクロールケーシングの前記下側面との間の傾斜案内面であって、前記下側面に向けて傾斜しており、前記スクロールケーシングのスクロール開始位置における前記スクロールケーシングの隔壁に向かう下流方向に延びる傾斜案内面を備えた遠心送風機。
【請求項２】
前記傾斜案内面は前記リング状の平面部分から直接に延びている請求項１に記載の遠心送風機。
【請求項３】
前記傾斜案内面は前記隔壁に完全に延びている請求項１または請求項２に記載の遠心送風機。
【請求項４】
前記傾斜案内面と前記スクロールケーシングの前記下側面との間は、前記中央の開口の大部分の周りにおいて前記下側面に向けて延びる傾斜面である推移部分である請求項１から請求項３のいずれかに記載の遠心送風機。
【請求項５】
前記推移部分は、前記下流方向に向けて前記中央の開口に向けて径方向内側へ角度づけられている請求項４に記載の遠心送風機。
【請求項６】
前記隔壁は、前記スクロール開始位置と前記遠心送風機の空気出口との間の垂直な隔壁である請求項１から請求項５のいずれかに記載の遠心送風機。
【請求項７】
前記傾斜案内面は前記下流方向に向けて幅が増加している請求項１から請求項６のいずれかに記載の遠心送風機。
【請求項８】
前記傾斜案内面は、前記スクロールケーシングのスクロール終了位置から前記隔壁に完全に延びており、前記スクロール終了位置および前記スクロール開始位置は、前記スクロールケーシングによって区画形成され空気通路の反対側の端部である請求項１から請求項７のいずれかに記載の遠心送風機。
【請求項９】
さらに、前記スクロール終了位置から延びる空気出口を備える請求項８に記載の遠心送風機。
【請求項１０】
スクロールケーシングの下側面に対して上に位置づけられており、遠心ファンが据え付けられる中央の開口を区画形成するリング状の平面部分、および
前記リング状の平面部分から前記スクロールケーシングの前記下側面に向けて延びる傾斜案内面であって、前記下側面に向けて傾斜しており、前記スクロールケーシングのスクロール開始位置における前記スクロールケーシングの隔壁に向かう下流方向に延び、前記下流方向に向けて幅が増加する傾斜案内面を備えた遠心送風機。
【請求項１１】
前記傾斜案内面は前記リング状の平面部分から直接に延びている請求項１０に記載の遠心送風機。
【請求項１２】
前記傾斜案内面と前記スクロールケーシングの前記下側面との間は、前記中央の開口の大部分の周りにおいて前記下側面に向けて延びる傾斜面である推移部分である請求項１０または請求項１１に記載の遠心送風機。
【請求項１３】
前記推移部分は、前記下流方向に向けて前記中央の開口に向けて径方向内側へ角度づけられている請求項１２に記載の遠心送風機。
【請求項１４】
前記隔壁は、前記スクロール開始位置と前記遠心送風機の空気出口との間の垂直な隔壁である請求項１０から請求項１３のいずれかに記載の遠心送風機。
【請求項１５】
前記傾斜案内面は、前記スクロールケーシングのスクロール終了位置から前記隔壁に完全に延びており、前記スクロール終了位置および前記スクロール開始位置は、前記スクロールケーシングによって区画形成され空気通路の反対側の端部である請求項１０から請求項１４のいずれかに記載の遠心送風機。
【請求項１６】
前記傾斜案内面は前記隔壁の反対側に前記隔壁を越えて延びている請求項１０から請求項１４のいずれかに記載の遠心送風機。
【請求項１７】
中央に空気入口を区画形成するとともに、外周に複数の空気出口を区画形成する遠心ファンであって、前記複数の空気出口に複数のブレードを有する遠心ファン、および
前記遠心ファンを収容するスクロールケーシングを備え、
前記スクロールケーシングは、
スクロール開始位置、
スクロール終了位置、
前記スクロール開始位置と前記スクロール終了位置との間に延在し、前記スクロールケーシングを通る空気流に関して前記スクロール終了位置を前記スクロール開始位置の下流に位置づける空気通路、
前記スクロール終了位置から延びる空気出口、
前記スクロール開始位置と前記空気出口との間の隔壁、
前記スクロールケーシングの下側面に対して上に位置づけられており、前記遠心ファンが据え付けられる中央の開口を区画形成するリング状の平面部分、および
前記リング状の平面部分に隣接していて、前記隔壁に向けて下流方向へ延びており、前記下側面へ向けて前記リング状の平面部分から離れるように下向きに傾斜している傾斜案内面を備えた遠心送風機。
【請求項１８】
前記傾斜案内面は前記リング状の平面部分に直接に近接している請求項１７に記載の遠心送風機。
【請求項１９】
前記傾斜案内面は前記隔壁の反対側に前記隔壁を越えて延びている請求項１７または請求項１８のいずれかに記載の遠心送風機。
【請求項２０】
前記傾斜案内面は前記隔壁に完全に延びており、前記下流方向に向けて幅が増加している請求項１７から請求項１９のいずれかに記載の遠心送風機。
【発明の詳細な説明】
【技術分野】
【０００１】
この明細書における開示は、遠心送風機に関する。
【背景技術】
【０００２】
従来技術として先行技術文献の欄に列挙する特許文献が知られている。
【先行技術文献】
【特許文献】
【０００３】
【特許文献１】米国特許第５８３９８７９号明細書
【特許文献２】米国特許第６２２４３３５号明細書
【特許文献３】米国特許出願公開第２００６／０１７１８０３号明細書
【発明の概要】
【発明が解決しようとする課題】
【０００４】
この項は、発明に関連する背景技術を開示するが、それは公知の従来技術として開示されるものではない。
【０００５】
図１および図２において、実在する送風機アセンブリ、例えば、乗り物のための暖房、換気および空調（ＨＶＡＣ）ユニットのための送風機アセンブリが、参照符号１０によって示されている。送風機アセンブリ１０は一般に遠心ファン１２およびスクロールケーシング１４を含んでいる。遠心ファン１２は、空気流Ａの受け入れのための空気入口２０をその中央に区画形成している。遠心ファン１２は、それ外周において、複数の空気出口２２を区画形成している。複数のブレード２４は空気出口２２を出る空気流Ａを指向させるために、空気出口２２に設けられている。遠心ファン１２は空気入口２０の軸中心における軸の周りで回転する。
【０００６】
スクロールケーシング１４は、スクロール開始位置３２からスクロール終了位置３４までの遠心ファン１２の部分の周りに延びているスクロールケーシング側面３０を有する。送風機アセンブリ１０の空気出口３６は、スクロール終了位置３４から、空気流Ａが送風機アセンブリ１０を出る出口開口３８まで延びている。空気出口３６は出口開口３８を区画形成する。
【０００７】
窓開口４０は、スクロールケーシング側面３０と、スクロール開始位置３２に近接した遠心ファン１２との間に区画形成される。スクロール開始位置３２にあるのは、少なくとも部分的に窓開口４０を区画形成する隔壁４２である。隔壁４２は、空気出口３６からスクロールケーシング側面３０を、おおよそ分離するか、区画しており、それは、任意の適切な隔壁、例えば垂直の隔壁またはノーズによって提供されうる。隔壁は、例えば、図２における線Ｂに沿って、スクロールケーシング１４の下側面４４に対して垂直に延びている。
【０００８】
スクロールケーシング１４の下側面４４は、リング状の平面部分４６の下に、おおよそ掘り下げられている。リング状の平面部分４６は、遠心ファン１２が据え付けられる中央の開口４８を少なくとも部分的に区画形成する。図３には、開口４８と、この明細書の説明による開示に関連する特徴とが含まれている。
【０００９】
リング状の平面部分４６は、遠心ファン１２をおおよそ囲んでいる。例えば、図２の方向において例示されるように、リング状の平面部分４６およびスクロールケーシング１４の下側面４４は、リング状の平面部分４６が下側面４４の上の面において延びることで、おおよそ平行に延びており、かつ、互いに離れた面である。
【００１０】
傾斜面５０は、出口開口３８の方向にスクロール終了位置３４を越えて延びている傾斜した推移部分５２を含んでいる。それは、遠心ファン１２の内部からスクロールケーシング１４全体を流れる空気流Ａに対して下流の方向である。傾斜した推移部分５２は、傾斜した推移部分５２が下流に向けてスクロール終了位置３４から離れて延びるにつれて、遠心ファン１２の方へ向かって径方向内側へ角度付けられている。傾斜した推移部分５２は、垂直側壁６０まで及ぶ。垂直側壁６０は、図１に図示される隔壁４２に近接する部位、または出口開口３８により近い隔壁４２の下流で始まっていてもよい。
【００１１】
案内壁または案内平面６２は、隔壁４２へ向けてリング状の平面部分４６から延びている。空気出口３６に近接した案内平面６２の外側の端は、リング状の平面部分４６から、おおよそ隔壁４２の接線の方向へ延びている。したがって、隔壁４２では、例えば図２に例示されるように、案内平面６２は、おおよそ隔壁４２の高さに沿って延びる線Ｂに垂直である平面に延びている。
【課題を解決するための手段】
【００１２】
この項は、発明に関する概略的な開示を与えるが、その全範囲またはその全特徴の包括的な開示ではない。
【００１３】
この開示は、リング状の平面部分および傾斜したガイド面を有する遠心送風機アセンブリを提供する。リング状の平面部分は、遠心ファンが据え付けられる中央の開口を区画形成する。リング状の平面部分はスクロールケーシングの下側面に対して持ち上げられており、上に位置づけられている。傾斜したガイド面は、リング状の平面部分とスクロールケーシングの下側面との間にある。傾斜したガイド面は、下側面の方へ向けて傾斜し、スクロールケーシングのスクロール開始位置において、スクロールケーシングの隔壁へ向かう下流方向へ延びている。
【００１４】
この開示は、リング状の平面部分および傾斜したガイド面を有する遠心送風機を提供する。リング状の平面部分は、遠心ファンが据え付けられる中央の開口を区画形成する。リング状の平面部分はスクロールケーシングの下側面に対して持ち上げられており、上に位置づけられている。傾斜案内面は、リング状の平面部分からスクロールケーシングの下側面に向けて延在している。傾斜したガイド面は、下側面の方へ向けて傾斜し、スクロールケーシングのスクロール開始位置において、スクロールケーシングの隔壁へ向かう下流方向へ延びている。下流方向に向けて、傾斜案内面の幅は増加する。
【００１５】
この開示は、遠心ファンおよびスクロールケーシングを提供する。遠心ファンは、中央に空気入口を区画形成するとともに、外周に複数の空気出口を区画形成し、複数の空気出口に複数のブレードを有する。スクロールケーシングは遠心ファンを収容し、スクロール開始位置、スクロール終了位置、およびスクロール開始位置とスクロール終了位置との間に延びる空気通路を有する。スクロールケーシングの空気通路に関して、スクロール終了位置は、スクロール開始位置の下流にある。空気出口は、スクロール終了位置から延びる。隔壁は、スクロール開始位置と空気出口との間にある。リング状の平面部分は、遠心ファンが据え付けられる中央の開口を区画形成する。リング状の平面部分はスクロールケーシングの下側面に対して上に位置づけられている。傾斜案内面は、リング状の平面部分に近接して位置づけられており、前記隔壁に向けて下流方向に延びている。傾斜案内面は、下側面へ向けてリング状の平面部分から離れるように下向きに傾斜している。
【００１６】
この発明を適用可能な分野はここでの開示によって明らかにされる。この発明の概要における説明と具体的な例示とは、具体的な説明を与える用途だけを意図したものであって、本発明の技術的範囲を限定することを意図したものではない。
【００１７】
ここに説明された図面は、選択された実施形態を図示するためだけのものであって、すべての実用的な可能性を示すものではない。そして、ここに説明された図面は、発明の範囲を限定することを意図するものではない。複数の図面の図示にわたって、対応する参照符号は、対応する部分を指している。
【図面の簡単な説明】
【００１８】
【図１】図１は、従来技術（Ｐｒｉｏｒ  Ａｒｔ）に係る送風機アセンブリの斜視図である。
【図２】図２は、図１の２−２線における断面図である。
【図３】図３は、この開示に関する送風機アセンブリの斜視図である。
【図４】図４は、図３の４−４線における断面図である。
【図５】図５は、図３の５−５線における断面図である。
【図６】図６は、比較のために透過的に図１の案内平面の形状を示した、この開示に関する傾斜案内面の斜視図である。
【図７】図７は、この開示に関する案内傾斜面と、図３の送風機アセンブリの周辺部分との斜視図である。
【図８】図８は、この開示に関する他の案内傾斜面と、この開示に関する他の送風機アセンブリの周辺部分との斜視図である。
【発明を実施するための形態】
【００１９】
以下、発明の複数の実施形態を図面を参照しながら詳細に説明する。図３において、この開示に関する遠心式の送風機アセンブリ（遠心送風機組立体）は、参照数字１１０で図示されている。送風機アセンブリ１０の特徴と類似または同一の送風機アセンブリ１１０の特徴は、類似の参照数字によって示されて図示されている。送風機アセンブリ１０の記述において述べられた共通の特徴の記述は、送風機アセンブリ１１０にも適用される。送風機アセンブリ１１０は、遠心送風機とも呼ばれる。
【００２０】
送風機アセンブリ１１０は傾斜案内面１２０を有する。傾斜案内面１２０は、図１および２の送風機アセンブリ１０の案内平面６２と対照的である。傾斜案内面１２０は、傾斜案内面１２０の反対側の端部に、上流側端部１２２および下流側端部１２４を有する。上流側端部１２２は、送風機アセンブリ１１０による空気流Ａの方向に関して下流側端部１２４の上流にある。上流側端部１２２は、おおよそ、スクロール終了位置３４に位置づけられている。上流側端部１２２は、リング状の平面部分４６と傾斜面５０の間の部分リング状移行帯１４０に隣接している。
【００２１】
上流側端部１２２から、傾斜案内面１２０は下流に延び、下流側端部１２４まで延びている。下流側端部１２４は、隔壁４２の基礎部分１４２にある。基礎部分１４２は隔壁４２の先端面１４４にある。
【００２２】
下流側端部１２４は、側壁に沿って隔壁４２を通り過ぎて延びてもよい。例えば、下流側端部１２４は、窓開口４０まで、あるいはその窓開口４０を通り過ぎて下流側端部１２４Ａのように延びてもよい。ここに、例えば図８の教示と関連付けられて記述されるように、下流側端部１２４は、空気出口３６で隔壁４２の横を通り過ぎて、下流側端部１２４Ｂのように延びていてもよい。
【００２３】
傾斜案内面１２０はさらに内側端１２６および内側端１２６とは径方向反対に位置する外側端１２８を含んでいる。内側端１２６は、リング状の平面部分４６の外側端１４６に隣接している。リング状の平面部分４６の外側端１４６は、リング状の平面部分４６の内側端１４８とは径方向の反対側にある。内側端１４８は、中央の開口４８を区画形成する。傾斜案内面１２０の外側端１２８は傾斜面５０の推移部分５２にある。傾斜案内面１２０は、内側端１２６および外側端１２８の間の幅に関して、上流側端部１２２において最も狭く、下流側端部１２４において最も広い。
【００２４】
傾斜案内面１２０は、その内側端１２６から外側端１２８まで、例えば径方向外側に向けて、おおよそ外へ向けて傾斜している。一般に、傾斜案内面１２０は、スクロールケーシング１４の下側面４４の方向に、外向きに、かつ下流向きに傾斜している。したがって、隔壁４２の基礎部分１４２では、傾斜案内面１２０の下流側端部１２４は、隔壁４２の高さに沿って伸びる線Ｂに対して非直角である。
【００２５】
例えば、図４に図示されるように、隔壁４２の先端面１４４に近接した図３の４−４断面において、傾斜案内面１２０はリング状の平面部分４６に対して角度θ１（シータ１）で角度付けられている。角度θ１は任意の適切な角度に設定することができ、例えば、１５度、およそ１５度、または１５度の３度以内の範囲内（１２度以上１８度以下の範囲内）とすることができる。
【００２６】
例えば、図５に図示されるように、４−４断面より上流側の図３の５−５断面において、傾斜案内面１２０はリング状の平面部分４６に対して角度θ２（シータ２）で角度付けられている。角度θ２は任意の適切な角度に設定することができ、例えば、５度、およそ５度、または５度の３度以内の範囲内（２度以上８度以下の範囲内）とすることができる。角度θ２は、角度θ１より小さく、角度θ１と等しく、または角度θ１とほぼ等しくすることができる。したがって、内側端１２６から外側端１２８までの傾斜案内面１２０の傾斜は、上流側端部１２２から下流側端部１２４に向かって増加している。図６は、傾斜案内面１２０と図１および図２の案内平面６２とを比較のために重複的に図示している。
【００２７】
図３および図７に例示されるように、傾斜案内面１２０の外側端１２８では、傾斜案内面１２０は傾斜面５０の推移部分５２に向けて推移してゆく。スクロール終了位置３４では、推移部分５２は、径方向に関して、傾斜面５０が延びる距離と等しい距離、またはほぼ等しい距離だけ延びている。出口開口３８へ向かう下流の方向において、推移部分５２は、傾斜案内面１２０から徐々に少なく延びており、よって、下流の方向において徐々に内側へ傾斜している。隔壁４２では、推移部分５２は終了することができ、空気出口３６の側面を区画形成する垂直の側壁６０とほぼ同じ面になるか、または垂直の側壁６０に移行してゆく。
【００２８】
代替的に、図８において、例えば、推移部分５２はさらに下流に延びることができ、隔壁４２を越えて延びてもよい。例えば、推移部分５２は、隔壁４２に近接して、しかし全体的に垂直の側壁６０ではなく、傾斜案内面１２０に向けて内側へ向かう先細りにすることができ、その後、出口開口３８へ向かう下流の方向に隔壁４２を越えて延びてもよい。推移部分５２は、隔壁４２を越えて直線状に、隔壁４２を越えて外側に先細りに、または隔壁４２を越えて内側に先細りに延びてもよい。図８は、さらに隔壁４２を越えて出口開口３８へ向かう空気出口３６の中の下流側端部１２４Ｂまで延びる傾斜案内面１２０を図示している。
【００２９】
この教示に係る、隔壁４２を越えて延びる傾斜案内面１２０および／または傾斜した推移部分５２は、空気流の混乱Ｄ、および傾斜案内面１２０および隔壁４２の領域において生成される騒音を除去するか最小化するように、空気出口３６へ空気流Ａを指向させ、隔壁４２から空気流Ａを逸らす。例えば、図１および図２の送風機アセンブリ１０と比較して、この教示に係る送風機アセンブリ１１０はより静かである。
【００３０】
この実施形態には以下に述べる複数の特徴的な側面が記述されている。ひとつの側面において、遠心送風機１１０は、スクロールケーシング１４を有する。スクロールケーシング１４は、スクロールケーシング１４の下側面４４に対して上に位置づけられており、遠心ファン１２が据え付けられる中央の開口４８を区画形成するリング状の平面部分４６を備える。スクロールケーシング１４は、リング状の平面部分４６とスクロールケーシング１４の下側面４４との間の傾斜案内面１２０であって、下側面４４に向けて傾斜しており、スクロールケーシング１４のスクロール開始位置３２におけるスクロールケーシング１４の隔壁４２に向かう下流方向に延びる傾斜案内面１２０を備える。
【００３１】
傾斜案内面１２０はリング状の平面部分４６から直接に延びている。傾斜案内面１２０は、リング状の平面部分４６より径方向外側に位置し、リング状の平面部分４６から径方向外側に延び出している。傾斜案内面１２０は、リング状の平面部分４６がスクロール開始位置３２から下流方向に向けて延びる範囲のうちの下流端を含む狭い周方向範囲にのみ設けられている。傾斜案内面１２０は、隔壁４２の直前にだけ形成されている。
【００３２】
傾斜案内面１２０は隔壁４２に完全に延びている。傾斜案内面１２０は、径方向に関して隔壁４２の径方向幅を完全に覆うように形成されている。傾斜案内面１２０は、隔壁４２に到達するように形成されている。隔壁４２と傾斜案内面１２０との間には、隔壁４２の先端面に沿って延びるとともに、傾斜案内面１２０の傾斜に対応して傾斜する凹んだ角部が形成される。この角部は、中央の開口４８から径方向外側に向けて延び、リング状の平面部分４６から下側面４４に向けて近づくように傾斜している。
【００３３】
傾斜案内面１２０の傾斜角度は、下流方向に向けて徐々に増加する場合がある。傾斜案内面１２０のリング状の平面部分４６に対する傾斜角度は、遠心ファン１２の回転方向におけるどの位置においても、傾斜面５０の傾斜角度および推移部分５２の傾斜角度より小さい。傾斜案内面１２０は、リング状の平面部分４６のようにその平面部分４６に沿って隔壁４２に向けて真っ直ぐに空気を案内することなく、やや空気出口３６へ向けて傾斜させながら隔壁４２に向けて空気を案内する。傾斜案内面１２０の上における空気流は、やや径方向外側へ、しかも下側面４４に向けて案内される。傾斜案内面１２０は、隔壁４２の先端面より上流側に、ほぼ三角形、より具体的にはリング状の平面部分４６に沿ってやや湾曲して延びる三角形の形状をなして設けられている。傾斜案内面１２０は、隔壁４２との境界を底辺とし、リング状の平面部分４６との境界をひとつの斜辺とし、傾斜面５０または推移部分５２との境界をひとつの斜辺とする三角形として形成されうる。
【００３４】
傾斜案内面１２０とスクロールケーシング１４の下側面４４との間は、中央の開口４８の大部分の周りにおいて下側面４４に向けて延びる傾斜面である推移部分５２である。推移部分５２は、下流方向に向けて中央の開口４８に向けて径方向内側へ角度づけられている。推移部分５２は、スクロール開始位置３２から、またはその近傍から空気の流れ方向に沿って延びている。推移部分５２と下側面４４との間の境界は、スクロールケーシング１４が出口へ向かうにつれて、径方向外側へ徐々に推移しており、傾斜案内面１２０が広がる周方向の範囲の少なくとも一部と重複する範囲において、径方向内側へ徐々に推移している。隔壁４２は、スクロール開始位置３２と遠心送風機の空気出口３６との間の垂直な隔壁である。
【００３５】
傾斜案内面１２０は下流方向に向けて幅が増加している。傾斜案内面１２０は、リング状の平面部分４６と推移部分５２との間の境界から始まり、その幅は、隔壁４２の幅の少なくとも一部を含む幅になるように、または隔壁４２の幅を包含する幅になるように増加する。傾斜案内面１２０は、スクロールケーシング１４のスクロール終了位置３４から隔壁４２に完全に延びており、スクロール終了位置３４およびスクロール開始位置３２は、スクロールケーシング１４によって区画形成された空気通路の反対側の端部である。遠心送風機１１０は、さらに、スクロール終了位置３４から延びる空気出口３６を備えることができる。
【００３６】
他のひとつの側面において、遠心送風機１１０は、スクロールケーシング１４を有する。スクロールケーシング１４は、スクロールケーシング１４の下側面４４に対して上に位置づけられており、遠心ファン１２が据え付けられる中央の開口４８を区画形成するリング状の平面部分４６を備える。スクロールケーシング１４は、リング状の平面部分４６からスクロールケーシング１４の下側面４４に向けて延びる傾斜案内面１２０であって、下側面４４に向けて傾斜しており、スクロールケーシング１４のスクロール開始位置３２におけるスクロールケーシング１４の隔壁４２に向かう下流方向に延び、下流方向に向けて幅が増加する傾斜案内面１２０を備える。
【００３７】
傾斜案内面１２０はリング状の平面部分４６から直接に延びている。傾斜案内面１２０とスクロールケーシング１４の下側面４４との間は、中央の開口４８の大部分の周りにおいて下側面４４に向けて延びる傾斜面である推移部分５２である。推移部分５２は、下流方向に向けて中央の開口４８に向けて径方向内側へ角度づけられている。隔壁４２は、スクロール開始位置３２と遠心送風機の空気出口３６との間の垂直な隔壁４２である。傾斜案内面１２０は、スクロールケーシング１４のスクロール終了位置３４から隔壁４２に完全に延びており、スクロール終了位置３４およびスクロール開始位置３２は、スクロールケーシング１４によって区画形成された空気通路の反対側の端部である。
【００３８】
傾斜案内面１２０は隔壁４２の反対側に隔壁４２を越えて延びている。傾斜案内面１２０は、隔壁４２の凸状の先端面の両側に延び出している。傾斜案内面１２０は、隔壁４２の凸状の先端面の少なくとも径方向外側に延び出すことができる。
【００３９】
さらに他のひとつの側面において、遠心送風機１１０は、中央に空気入口２０を区画形成するとともに、外周に複数の空気出口２２を区画形成する遠心ファン１２であって、複数の空気出口２２に複数のブレード２４を有する遠心ファン１２を備える。遠心送風機１１０は、遠心ファン１２を収容するスクロールケーシング１４を備える。スクロールケーシング１４は、スクロール開始位置３２、スクロール終了位置３４、スクロール開始位置３２とスクロール終了位置３４との間に延在し、および、スクロールケーシング１４を通る空気流に関してスクロール終了位置３４をスクロール開始位置３２の下流に位置づける空気通路を備える。スクロールケーシング１４は、スクロール終了位置３４から延びる空気出口３６、およびスクロール開始位置３２と空気出口３６との間の隔壁４２を備える。スクロールケーシング１４は、スクロールケーシング１４の下側面４４に対して上に位置づけられており、遠心ファン１２が据え付けられる中央の開口４８を区画形成するリング状の平面部分４６、およびリング状の平面部分４６に隣接していて、隔壁４２に向けて下流方向へ延びており、下側面４４へ向けてリング状の平面部分４６から離れるように下向きに傾斜している傾斜案内面１２０を備える。
【００４０】
傾斜案内面１２０はリング状の平面部分４６に直接に近接している。傾斜案内面１２０は隔壁４２の反対側に隔壁４２を越えて延びている。傾斜案内面１２０は隔壁４２に完全に延びており、下流方向に向けて幅が増加している。
【００４１】
例示された実施形態は、この開示が完全になるように、そして、この開示が当業者に技術的範囲を完全に伝えるように提供されている。特定の成分、装置、および方法の例示のような多数の特定の詳細な説明は、この開示の実施形態についての完全な理解を提供するために述べられている。特定の詳細が採用される必要がない場合があること、例示された実施形態が多数の異なる形態によって実施可能であること、そして、何も開示の範囲を限定するように解釈されるべきではないことは当業者には明白である。いくつかの例示された実施形態では、周知の方法、周知の装置構造、および周知の技術は、詳細に記述されない。
【００４２】
ここに使用される用語は、特別の例示された実施形態だけを記述するためのものであり、制限的な意図はない。ここに使用されるように、文脈が明確に反対のことを示さない限り、１つを示す語は複数形をも含むように意図されている。用語「備える」「有する」「含む」「もつ」は、包括的であって、したがって記述された特徴、整数、ステップ、操作、要素、および／または部品の存在を述べており、しかし、ひとつまたは複数の他の特徴、整数、ステップ、操作、要素、部品、および／またはそれらの組み合わせの追加または存在を除外しない。ここに説明された方法の工程、処理、および操作は、実行の順序として特別に指定されない限り、説明され、または図示された特定の順序での実行を要求するものとして解釈されない。さらに、追加的な、または代替的な工程が採用可能であるとも理解されるべきである。
【００４３】
ひとつの要素または層と、他の要素または層とが、「上に」、「連結されて」、「接続されて」、または「組み合わせられて」のように参照される場合、ひとつの要素または層と、他の要素または層とは、「直接に」または「介在要素または介在層が存在して」上に、連結されて、接続されて、または組み合わせられていてもよい。反対に、ひとつの要素または層と、他の要素または層とが、「直接に上に」、「直接に連結され」、「直接に接続され」、または「直接に組み合わせられ」と参照される場合、そこには介在要素または介在層は存在しなくてもよい。複数の要素の間の関係を説明する他の用語（例えば、「の間」と「の間に直接に」、「隣接する」と「直接に隣接する」など）は、同様に解釈されるべきである。ここに使用されるように、用語「および／または」は、関連付けて列挙された要素のすべての１つ、または、複数のすべての組み合わせを含んでいる。
【００４４】
ここでは、様々な要素、部品、領域、層、および／または区分について記述するために、第１、第１，第３などの用語が使用されることがあるが、それらの要素、部品、領域、層、および／または区分はそれらの用語では限定されない。これらの用語はひとつの要素、部品、領域、層、また区分を他の要素、部品、領域、層、また区分から区別するために単純に使用される。文脈によって明示されない限り、「第１」、「第２」および他の数詞は使用された場合に順序または順番を意味しない。したがって、例示された実施形態の教示から外れずに、ここに記述の第１要素、第１部品、第１領域、第１層、および第１区分は、第２要素、第２部品、第２領域、第２層、および第２区分としても記述可能である。
【００４５】
空間的な相対的な用語、例えば、「内部の」、「外部の」、「の下に」「以下に」「より低い」、「上に」、「上部の」などは、図面に図示されたひとつの要素または特徴の他の要素または特徴に対する関係を記述するための記載を簡単にするために用いられている。空間的に相対的な用語は、図の中に描かれた方向に加えて、使用または操作において装置の異なる方向を包含するように意図されている。例えば、図の中の装置がひっくり返される場合、他の要素または特徴の「以下に」または「下に」と記述された要素または特徴は、他の要素または特徴の「上に」と方向付けられる。したがって、例えば、用語「以下に」は「上に」と「以上に」の両方を包含することができる、装置は他の方向付けられてもよく（９０度回転された方向、または他の方向）、また、ここに用いられた空間的な相対的説明用語はそのように適合的に解釈されてもよい。
【００４６】
以上に述べた実施形態の説明は、図示と説明のために与えられたものである。そこには、発明を限定する意図や、網羅的にする意図はない。それぞれの個別の構成要素、または特定の実施形態の特徴は、その特定の実施形態に限定されない。しかし、具体的に図示され説明されていない限り、適用可能であれば、それらは互いに入れ替え可能であり、特定の選ばれた実施形態において利用可能である。それぞれの個別の構成要素、または特定の実施形態の特徴は、多くの手法に変形可能でもある。それらの変形例は発明からの派生物として考慮されるべきではなく、すべてのそれらの変形例は発明の技術的範囲に属するべきものとして意図されている。
【符号の説明】
【００４７】
１１０  送風機アセンブリ（遠心送風機）、
１２遠心ファン、２０  入口開口、２２  出口開口、２４  ブレード、
１４  スクロールケーシング、
３２  スクロール開始位置、３４  スクロール終了位置、  ３６  出口開口、
４２  隔壁、４４  下側面、４６  リング状の平面部分、
４８  中央の開口、５０  傾斜面、５２  推移部分、
１２０  傾斜案内面。
【図１】
2015212542.tif 000003
【図２】
2015212542.tif 000004
【図３】
2015212542.tif 000005
【図４】
2015212542.tif 000006
【図５】
2015212542.tif 000007
【図６】
2015212542.tif 000008
【図７】
2015212542.tif 000009
【図８】
2015212542.tif 000010